【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
透光性に形成された透光部材（４１，５０，２４１，３５０，３５４）を有し、透けたような外観を構成する透光外観部（４０，２４０，３４０）を備える車両用表示装置であって、
前記透光外観部は、
その反視認側に配置され、光源光を発する光源（６０，２６０）と、
視認側からの正面視線方向（ＦＥＤ）において前記光源を視覚的に擬装するように、前記光源よりも前記視認側に配置され、屈折率差が設けられた光学界面（５３ａ，５３ｂ，３５７，３５８）を、前記透光部材を用いて形成している視覚的擬装部（ＶＣ）と、を有し、
前記視覚的擬装部は、前記光学界面として、前記反視認側に配置された低屈折率層と、前記視認側に配置された高屈折率層により前記屈折率差が設けられた界面であって、前記正面視線方向に対して全反射の条件を成立させる傾斜角度を構成する全反射界面を有する車両用表示装置。
【請求項２】
前記光源から、前記光源を前記正面視線方向に沿って視認側に投影した仮想の光源投影領域（ＳＰＡ）を定義すると、
前記視覚的擬装部は、前記光学界面として、視認側に凸となる頂部を前記光源投影領域内に配置するように、前記頂部を前記正面視線方向に対する垂直方向に挟んだ一対の前記全反射界面を有する請求項１に記載の車両用表示装置。
【請求項３】
前記透光外観部は、
前記透光部材として、前記光源を収容する光源収容空間（４７）を画成する光源収容部材と、
前記光源収容部材とは別の前記透光部材として、前記光源収容空間を塞ぐ蓋部材と、を有し、
前記光学界面は、前記光源収容空間の空気層と、前記蓋部材との間に形成されている請求項１又は２に記載の車両用表示装置。
【請求項４】
透光性に形成された透光部材（４１，５０，２４１，３５０，３５４）を有し、透けたような外観を構成する透光外観部（４０，２４０，３４０）を備える車両用表示装置であって、
前記透光外観部は、
その反視認側に配置され、光源光を発する光源（６０，２６０）と、
視認側からの正面視線方向（ＦＥＤ）において前記光源を視覚的に擬装するように、前記光源よりも視認側に配置され、屈折率差が設けられた光学界面（５３ａ，５３ｂ，３５７，３５８）を、前記透光部材を用いて形成している視覚的擬装部（ＶＣ）と、
前記透光部材として、前記光源を収容する光源収容空間（４７）を画成する光源収容部材と、
前記光源収容部材とは別の前記透光部材として、前記光源収容空間を塞ぐ蓋部材と、を有し、
前記光学界面は、前記光源収容空間の空気層と、前記蓋部材との間に形成されている車両用表示装置。
【請求項５】
透光性に形成された透光部材（４４１，４５０）を有し、透けたような外観を構成する透光外観部（４４０）を備える車両用表示装置であって、
前記透光外観部は、
その反視認側に配置され、光源光を発する光源（４６０）と、
視認側からの正面視線方向（ＦＥＤ）において前記光源を視覚的に擬装するように、前記光源よりも視認側に配置され、屈折率差が設けられた光学界面（４４９，４５１，４５２）を、前記透光部材を用いて形成している視覚的擬装部（ＶＣ）と、
前記透光部材として、前記光源を収容する光源収容空間を画成する光源収容部材と、
前記光源収容部材とは別の前記透光部材として、前記光源収容空間の内部において、前記光源を囲むように配置される光源包囲部材と、を有し、
前記視覚的擬装部は、
前記光学界面として、前記光源収容空間の空気層と、前記光源収容部材の基材との間に形成されている第１界面と、
前記第１界面とは別の前記光学界面として、前記光源収容空間の空気層と、前記光源包囲部材の基材との間に、前記第１界面と対向するように形成された第２界面と、を有する車両用表示装置。
【請求項６】
前記第１界面と、前記第２界面とは、互いに異なる面形状をなしている請求項５に記載の車両用表示装置。
【請求項７】
透光性に形成された透光部材（３５０，３５４）を有し、透けたような外観を構成する透光外観部（３４０）を備える車両用表示装置であって、
前記透光外観部は、
その反視認側に配置され、光源光を発する光源（６０）と、
視認側からの正面視線方向（ＦＥＤ）において前記光源を視覚的に擬装するように、前記光源よりも前記視認側に配置され、屈折率差が設けられた光学界面（３５７，３５８）を、前記透光部材を用いて形成している視覚的擬装部（ＶＣ）と、を有し、
前記光源から、前記光源を前記正面視線方向に沿って前記視認側に投影した仮想の光源投影領域（ＳＰＡ）を定義すると、
前記視覚的擬装部は、前記光学界面として、前記反視認側に配置された低屈折率層と、前記視認側に配置された高屈折率層により前記屈折率差が設けられた第１界面及び第２界面を有し、
前記第１界面は、前記反視認側に凸となる第１頂部（３５６ａ）を前記光源投影領域内に配置するように、前記第１頂部を前記正面視線方向に対する垂直方向に挟んだ一対の界面であって、前記正面視線方向に対して屈折の条件を成立させる第１傾斜角度を構成する一対の屈折界面であり、
前記第２界面は、前記第１界面を垂直方向に挟んだ一対の界面であって、前記第１界面のうち、それぞれが隣接する前記屈折界面とは前記視認側に凸となる第２頂部（３５６ｂ）を形成するように、前記正面視線方向に対して全反射の条件を成立させる第２傾斜角度を構成する一対の全反射界面である車両用表示装置。
【請求項８】
前記透光外観部とは離間して配置され、前記光源に対して非接触給電可能に構成された給電部（３０）を、さらに備え、
前記光源は、
前記給電部からの電力を受電する受電部（６１）と、
前記受電部が受電した電力によって前記光源光を発する発光素子（６２）と、を有する請求項１から７のいずれか１項に記載の車両用表示装置。
【請求項９】
透光性に形成された透光部材（４１，５０，２４１，３５０，３５４，４４１，４５０）を有し、透けたような外観を構成する透光外観部（４０，２４０，３４０，４４０）を備える車両用表示装置であって、
前記透光外観部は、
その反視認側に配置され、光源光を発する光源（６０，２６０，４６０）と、
視認側からの正面視線方向（ＦＥＤ）において前記光源を視覚的に擬装するように、前記光源よりも視認側に配置され、屈折率差が設けられた光学界面（５３ａ，５３ｂ，３５７，３５８，４４９，４５１，４５２）を、前記透光部材を用いて形成している視覚的擬装部（ＶＣ）と、を有し、
前記透光外観部とは離間して配置され、前記光源に対して非接触給電可能に構成された給電部（３０）を、さらに備え、
前記光源は、
前記給電部からの電力を受電する受電部（６１）と、
前記受電部が受電した電力によって前記光源光を発する発光素子（６２）と、を有する車両用表示装置。
【請求項１０】
前記受電部は、遮光性であり、
前記発光素子は、前記受電部よりも前記反視認側に配置されている請求項８又は９に記載の車両用表示装置。
【請求項１１】
前記光源は、前記視覚的擬装部から外れた方向を主方向として前記光源光を発する請求項１から１０のいずれか１項に記載の車両用表示装置。
【請求項１２】
透光性に形成された透光部材（４１，５０，２４１，３５０，３５４）を有し、透けたような外観を構成する透光外観部（４０，２４０，３４０）を備える車両用表示装置であって、
前記透光外観部は、
その反視認側に配置され、光源光を発する光源（６０，２６０）と、
視認側からの正面視線方向（ＦＥＤ）において前記光源を視覚的に擬装するように、前記光源よりも視認側に配置され、屈折率差が設けられた光学界面（５３ａ，５３ｂ，３５７，３５８）を、前記透光部材を用いて形成している視覚的擬装部（ＶＣ）と、を有し
前記光源は、前記視覚的擬装部から外れた方向を主方向として前記光源光を発する車両用表示装置。
【請求項１３】
前記透光部材は、表示内容を視認側へ発光して表示する発光表示部（ＬＤ）を有し、
前記光源は、前記透光部材の内部に配置され、前記発光表示部を照明して点灯させる請求項１から１２のいずれか１項に記載の車両用表示装置。
【請求項１４】
前記透光外観部は、前記光源を挟んで前記視覚的擬装部とは反対側に、前記光源が発した前記光源光を前記発光表示部へ向けて反射する反射部（７０）を、有する請求項１３に記載の車両用表示装置。
【請求項１５】
透光性に形成された透光部材（４１，５０，２４１）を有し、透けたような外観を構成する透光外観部（４０，２４０）を備える車両用表示装置であって、
前記透光部材は、表示内容を視認側へ発光して表示する発光表示部（ＬＤ）を有し、
前記透光外観部は、
その反視認側に配置され、光源光を発する光源（６０，２６０）と、
視認側からの正面視線方向（ＦＥＤ）において前記光源を視覚的に擬装するように、前記光源よりも視認側に配置され、屈折率差が設けられた光学界面（５３ａ，５３ｂ）を、前記透光部材を用いて形成している視覚的擬装部（ＶＣ）と、
前記光源を挟んで前記視覚的擬装部とは反対側に、前記光源が発した前記光源光を前記発光表示部へ向けて反射する反射部（７０）と、を有し、
前記光源は、前記透光部材の内部に配置され、前記発光表示部を照明して点灯させる車両用表示装置。
【請求項１６】
前記光源は、複数設けられ、前記発光表示部を囲む環状に配列され、
前記視覚的擬装部は、複数の前記光源に対して共通の環状に延伸する前記光学界面を形成している請求項１３から１５のいずれか１項に記載の車両用表示装置。
【請求項１７】
前記光源は、複数設けられ、直線上に配列され、
前記視覚的擬装部は、複数の前記光源に対して共通の直線状に延伸する前記光学界面を形成している請求項１３から１５のいずれか１項に記載の車両用表示装置。
【手続補正２】
【補正対象書類名】明細書
【補正対象項目名】０００７
【補正方法】変更
【補正の内容】
【０００７】
ここに開示された態様は、透光性に形成された透光部材（４１，５０，２４１，３５０，３５４）を有し、透けたような外観を構成する透光外観部（４０，２４０，３４０）を備える車両用表示装置であって、
透光外観部は、
その反視認側に配置され、光源光を発する光源（６０，２６０）と、
視認側からの正面視線方向（ＦＥＤ）において光源を視覚的に擬装するように、光源よりも視認側に配置され、屈折率差が設けられた光学界面（５３ａ，５３ｂ，３５７，３５８）を、透光部材を用いて形成している視覚的擬装部（ＶＣ）と、を有し、
視覚的擬装部は、光学界面として、反視認側に配置された低屈折率層と、視認側に配置された高屈折率層により屈折率差が設けられた界面であって、正面視線方向に対して全反射の条件を成立させる傾斜角度を構成する全反射界面を有する。
また開示された態様は、透光性に形成された透光部材（４１，５０，２４１，３５０，３５４）を有し、透けたような外観を構成する透光外観部（４０，２４０，３４０）を備える車両用表示装置であって、
透光外観部は、
その反視認側に配置され、光源光を発する光源（６０，２６０）と、
視認側からの正面視線方向（ＦＥＤ）において光源を視覚的に擬装するように、光源よりも視認側に配置され、屈折率差が設けられた光学界面（５３ａ，５３ｂ，３５７，３５８）を、透光部材を用いて形成している視覚的擬装部（ＶＣ）と、
透光部材として、光源を収容する光源収容空間（４７）を画成する光源収容部材と、
光源収容部材とは別の透光部材として、光源収容空間を塞ぐ蓋部材と、を有し、
光学界面は、光源収容空間の空気層と、蓋部材との間に形成されている。
また開示された態様は、透光性に形成された透光部材（４４１，４５０）を有し、透けたような外観を構成する透光外観部（４４０）を備える車両用表示装置であって、
透光外観部は、
その反視認側に配置され、光源光を発する光源（４６０）と、
視認側からの正面視線方向（ＦＥＤ）において光源を視覚的に擬装するように、光源よりも視認側に配置され、屈折率差が設けられた光学界面（４４９，４５１，４５２）を、透光部材を用いて形成している視覚的擬装部（ＶＣ）と、
透光部材として、光源を収容する光源収容空間を画成する光源収容部材と、
光源収容部材とは別の透光部材として、光源収容空間の内部において、光源を囲むように配置される光源包囲部材と、を有し、
視覚的擬装部は、
光学界面として、光源収容空間の空気層と、光源収容部材の基材との間に形成されている第１界面と、
第１界面とは別の光学界面として、光源収容空間の空気層と、光源包囲部材の基材との間に、第１界面と対向するように形成された第２界面と、を有する。
また開示された態様は、透光性に形成された透光部材（３５０，３５４）を有し、透けたような外観を構成する透光外観部（３４０）を備える車両用表示装置であって、
透光外観部は、
その反視認側に配置され、光源光を発する光源（６０）と、
視認側からの正面視線方向（ＦＥＤ）において光源を視覚的に擬装するように、光源よりも視認側に配置され、屈折率差が設けられた光学界面（３５７，３５８）を、透光部材を用いて形成している視覚的擬装部（ＶＣ）と、を有し、
光源から、光源を正面視線方向に沿って視認側に投影した仮想の光源投影領域（ＳＰＡ）を定義すると、
視覚的擬装部は、光学界面として、反視認側に配置された低屈折率層と、視認側に配置された高屈折率層により屈折率差が設けられた第１界面及び第２界面を有し、
第１界面は、反視認側に凸となる第１頂部（３５６ａ）を光源投影領域内に配置するように、第１頂部を正面視線方向に対する垂直方向に挟んだ一対の界面であって、正面視線方向に対して屈折の条件を成立させる第１傾斜角度を構成する一対の屈折界面であり、
第２界面は、第１界面を垂直方向に挟んだ一対の界面であって、第１界面のうち、それぞれが隣接する屈折界面とは視認側に凸となる第２頂部（３５６ｂ）を形成するように、正面視線方向に対して全反射の条件を成立させる第２傾斜角度を構成する一対の全反射界面である。
また開示された態様は、透光性に形成された透光部材（４１，５０，２４１，３５０，３５４，４４１，４５０）を有し、透けたような外観を構成する透光外観部（４０，２４０，３４０，４４０）を備える車両用表示装置であって、
透光外観部は、
その反視認側に配置され、光源光を発する光源（６０，２６０，４６０）と、
視認側からの正面視線方向（ＦＥＤ）において光源を視覚的に擬装するように、光源よりも視認側に配置され、屈折率差が設けられた光学界面（５３ａ，５３ｂ，３５７，３５８，４４９，４５１，４５２）を、透光部材を用いて形成している視覚的擬装部（ＶＣ）と、を有し、
透光外観部とは離間して配置され、光源に対して非接触給電可能に構成された給電部（３０）を、さらに備え、
光源は、
給電部からの電力を受電する受電部（６１）と、
受電部が受電した電力によって光源光を発する発光素子（６２）と、を有する。
また開示された態様は、透光性に形成された透光部材（４１，５０，２４１，３５０，３５４）を有し、透けたような外観を構成する透光外観部（４０，２４０，３４０）を備える車両用表示装置であって、
透光外観部は、
その反視認側に配置され、光源光を発する光源（６０，２６０）と、
視認側からの正面視線方向（ＦＥＤ）において光源を視覚的に擬装するように、光源よりも視認側に配置され、屈折率差が設けられた光学界面（５３ａ，５３ｂ，３５７，３５８）を、透光部材を用いて形成している視覚的擬装部（ＶＣ）と、を有し
光源は、視覚的擬装部から外れた方向を主方向として光源光を発する。
また開示された態様は、透光性に形成された透光部材（４１，５０，２４１）を有し、透けたような外観を構成する透光外観部（４０，２４０）を備える車両用表示装置であって、
透光部材は、表示内容を視認側へ発光して表示する発光表示部（ＬＤ）を有し、
透光外観部は、
その反視認側に配置され、光源光を発する光源（６０，２６０）と、
視認側からの正面視線方向（ＦＥＤ）において光源を視覚的に擬装するように、光源よりも視認側に配置され、屈折率差が設けられた光学界面（５３ａ，５３ｂ）を、透光部材を用いて形成している視覚的擬装部（ＶＣ）と、
光源を挟んで視覚的擬装部とは反対側に、光源が発した光源光を発光表示部へ向けて反射する反射部（７０）と、を有し、
光源は、透光部材の内部に配置され、発光表示部を照明して点灯させる。